(57)【要約】      （修正有）【課題】ユーザーが不意に指をターンテーブルの選択孔に挿入して傷付くのを防止できる安全スイッチ付きの電動鉛筆削り器構造を提供する。【解決手段】駆動ユニット１１と電源ユニット１２及び削り刃ユニット１３が備えられるケーシングと、ケーシングに設けられ、駆動ユニットに電気的に接続される安全機構２と、可動的にケーシングの端面に設けられ、安全機構に干渉するターンテーブル３と、駆動ユニットに電気的に接続される強制スイッチ４が含有される。これにより、該ターンテーブルが所定の位置に回転されると、同時に、該安全機構を起動し、電動鉛筆削り器が停止され、強制スイッチを押えることにより、電動鉛筆削り器を稼働できる。【選択図】図３
0003140429.tif 000002
【実用新案登録請求の範囲】
【請求項１】
内部に、少なくとも、駆動ユニットと駆動ユニットに電気的に接続される電源ユニット及び駆動ユニットに連動される削り刃ユニットとが備えられ、一端面にスリーブがあり、該スリーブの一側に削り刃ユニットに対応する貫通穴があり、スリーブのもう一側にスロットがあるケーシングと、ケーシングに設けられたセットがあり、該セット上に、削り刃ユニットと貫通穴との間に対応する対応孔が形成され、また、セットにおいて、対応孔の近くに可動的にスライダーが設置され、該スライダーに、駆動ユニットに電気的に接続される起動スイッチとスロットに貫設されたボスが設けられ、スライダーの一側に駆動ユニットに電気的に接続される遮断スイッチが設置される安全機構と、可動的にケーシングのスリーブに枢着され、複数の、それぞれ、貫通穴に対応する選択孔があり、一面にスライダーのボスを収納するためのリング状軌道が形成され、該軌道において、少なくとも、二つの選択孔に対応する位置に、それぞれ突出部が設けられるターンテーブルと、駆動ユニットに電気的に接続され、ケーシングの端面に設置される押え部がある強制スイッチが含有されることを特徴とする、安全スイッチ付きの電動鉛筆削り器構造。
【請求項２】
該ケーシングの削り刃ユニットに対応する底面に、可動的に収納ボックスが設置され、該収納ボックスの一端に駆動ユニットに電気的に接続される定位スイッチが設置されることを特徴とする、請求項１に記載の安全スイッチ付きの電動鉛筆削り器構造。
【請求項３】
スライダーの両側に、それぞれ該セットに対応する限位部が設置されることを特徴とする、請求項１に記載の安全スイッチ付きの電動鉛筆削り器構造。
【請求項４】
該スライダーの一側縁に、遮断スイッチに干渉する抵当部が設置されることを特徴とする、請求項１に記載の安全スイッチ付きの電動鉛筆削り器構造。
【考案の詳細な説明】
【技術分野】
【０００１】
本考案は、安全スイッチ付きの電動鉛筆削り器構造に関し、特にユーザーが不意に指をターンテーブルに挿入することにより、傷づくことを防止できるものに関する。
【背景技術】
【０００２】
従来の電動鉛筆削り器（図１のように）は、主として、ケーシング５と電動モータ６、減速歯車装置７、ナイフ軸８及びスイッチ９１が備えられ、電動モータ６と減速歯車装置７及びナイフ軸８が、ケーシング５の内部に組立て、また、ケーシング５の正面に転動可能の選択ターンテーブル５１が組み立てられ、また、鉛筆屑を収集するための収集ボックス５２があり、選択ターンテーブル５１に、径方向に複数のことなる直径を有する選択孔５１１が形成され、また、ケーシング５にナイフ軸８に対応する貫通穴５３が形成され、選択ターンテーブル５１を転動させて、その一つの選択孔５１１が、貫通穴５３に一致するようにすることができ、スイッチ９１が、ナイフ軸８と選択ターンテーブル５１の間に貫通穴５３の一側に設置され、電動モータ６が、減速歯車装置７を介して、ナイフ軸８が連動されるように結合され、そのスイッチ９１に、更に、給電装置９が電気的に接続され、これにより、給電動モータ６を稼働するための電力を供給でき、使用する時、市販の鉛筆の外径が異なるため、ユーザーが、まず選択ターンテーブル５１を回転して、鉛筆直径に符合する選択孔５１１を選んでから、鉛筆を選択孔５１１に挿入し、この時、該鉛筆がスイッチ９１をトリガーして、電動モータ６を駆動し、ナイフ軸８が連動されて鉛筆を研削する。格別のサイズの比較的に大きい選択孔５１１を使用する時、孔径が大きいため、ユーザーや児童が、不意に指を該選択孔５１１に挿入することがあり、該スイッチ９１が該貫通穴５３の一側に設置され、また、該貫通穴５３が選択孔５１１に対応するため、指が不意に該選択孔５１１に挿入した時、該スイッチ９１がトリガーされ、ナイフ軸８が研削し始め、直径が比較的に大きい選択孔５１１を選択した時、指がナイフ軸８により傷付く恐れがある。
【考案の開示】
【考案が解決しようとする課題】
【０００３】
本考案の主な目的は、該ターンテーブルの選択孔を、所定の位置に回転して、スライダーを利用して、該安全機構の遮断スイッチを起動することにより、電動鉛筆削り器が停止され、強制スイッチを押えることにより、電動鉛筆削り器を稼働でき、そのため、ユーザーが不意に指をターンテーブルの選択孔に挿入して、傷付くのを防止できる安全スイッチ付きの電動鉛筆削り器構造を提供する。
【課題を解決するための手段】
【０００４】
請求項１の考案は、内部に、少なくとも、駆動ユニットと駆動ユニットに電気的に接続される電源ユニット及び駆動ユニットに連動される削り刃ユニットとが備えられ、一端面にスリーブがあり、該スリーブの一側に削り刃ユニットに対応する貫通穴があり、スリーブのもう一側に、スロットがあるケーシングと、ケーシングに設けられたセットがあり、該セット上に、削り刃ユニットと貫通穴との間に対応する対応孔が形成され、また、セットにおいて、対応孔の近くに、可動的にスライダーが設置され、該スライダーに、駆動ユニットに電気的に接続される起動スイッチとスロットに貫設されたボスが設けられ、スライダーの一側に、駆動ユニットに電気的に接続される遮断スイッチが設置される安全機構と、可動的にケーシングのスリーブに枢着され、複数の、それぞれ貫通穴に対応する選択孔があり、一面にスライダーのボスを収納するためのリング状軌道が形成され、該軌道において、少なくとも、二つの選択孔に対応する位置に、それぞれ突出部が設けられるターンテーブルと、駆動ユニットに電気的に接続され、ケーシングの端面に設置される押え部がある強制スイッチが含有されることを特徴とする、安全スイッチ付きの電動鉛筆削り器構造である。
【０００５】
請求項２の考案は、該ケーシングの削り刃ユニットに対応する底面に、可動的に収納ボックスが設置され、該収納ボックスの一端に、駆動ユニットに電気的に接続される定位スイッチが設置されることを特徴とする、請求項１に記載の安全スイッチ付きの電動鉛筆削り器構造である。
【０００６】
請求項３の考案は、スライダーの両側に、それぞれ該セットに対応する限位部が設置されることを特徴とする、請求項１に記載の安全スイッチ付きの電動鉛筆削り器構造である。
【０００７】
請求項４の考案は、該スライダーの一側縁に、遮断スイッチに干渉する抵当部が設置されることを特徴とする、請求項１に記載の安全スイッチ付きの電動鉛筆削り器構造である。
【考案を実施するための最良の形態】
【０００８】
図２と図３を参照しながら、本考案は、少なくとも、ケーシング１と安全機構、ターンテーブル及び強制スイッチから構成される。
【０００９】
該ケーシング１は、内部に、少なくとも、駆動ユニット１１と駆動ユニット１１に電気的に接続される電源ユニット１２及び駆動ユニット１１によって連動される削り刃ユニット１３とが備えられ、また、ケーシング１の一端面に、スリーブ１４があり、該スリーブ１４の一側に、削り刃ユニット１３に対応する貫通穴１５が形成され、スリーブ１４のもう一側に、スロット１６があり、また、該ケーシング１において、削り刃ユニット１３に対応する底面に、可動的に収納ボックス１７が設置され、該収納ボックス１７の一端に、駆動ユニット１１に電気的に接続される定位スイッチ１８が設置される。
【００１０】
該安全機構２は、ケーシング１に設置されたセット２１があり、該セット２１上に、削り刃ユニット１３と貫通穴１５の間に対応する対応孔２１１があり、セット２１において、可動的に対応孔２１１の側縁の近くにスライダー２２が設置され、該スライダー２２の両側に、それぞれセット２１に対応する限位部２１２が設置され、これにより、該スライダー２２が、限位部２１２同士の間に変位でき、また、該スライダー２２に、駆動ユニット１１に電気的に接続される起動スイッチ２３とスロット１６に貫設されたボス２２１が備えられ、そして、スライダー２２の一側に、駆動ユニット１１に電気的に接続される遮断スイッチ２４が設けられ、スライダー２２の一側縁に、遮断スイッチ２４に干渉する抵当部２２２が設置される。
【００１１】
該ターンテーブル３は、可動的にケーシング１のスリーブ１４に枢着され、複数の、それぞれ貫通穴１５に対応する選択孔３１、３１ａが形成され、また、一面に、スライダー２２のボス２２１を収納するための軌道３２が形成され、該軌道３２において、少なくとも二つの選択孔３１ａに対応する位置に、それぞれ突出部３２１が設けられる。
【００１２】
該強制スイッチ４は、駆動ユニット１１に電気的に接続され、ケーシング１の端面に設置された押え部４１がある。上記の構造により、新規の安全スイッチ付きの電動鉛筆削り器構造が構成される。
【００１３】
図４と図５を参照しながら、本考案を利用する時（図２のように）、電源ユニット１２を、外部給電設備に連接して、駆動ユニット１１に対して電力を供給し、該駆動ユニット１１と削り刃ユニット１２は、従来技術であるため説明を省略し、ここで、本考案により達成できる効果を詳しく説明すると、使用する時、ユーザーが収納ボックス１７をケーシング１の一端面からケーシング１に設置することにより、該収納ボックス１７が、削り刃ユニット１３の底面に対応するようになり、また、該収納ボックス１７の一端が、起動定位スイッチ１８に接触することにより、駆動ユニット１１により通電回路が形成され、その後、鉛筆の外径に応じて、ターンテーブル３を回転して選択孔３１、３１ａを選択し、ユーザーが比較的に小さい孔径の選択孔３１を選択した時、該選択孔３１が直接に貫通穴１５に対応するため、鉛筆が該選択孔３１と貫通穴１５及び対応孔２１１に貫通でき、削り刃ユニット１３に挿設され、この時、該鉛筆が対応孔２１１を通過する時、スライダー２２上の起動スイッチ２３をトリガーし、該起動スイッチ２３により駆動ユニット１１が起動されて削り刃ユニット１３が連動され、鉛筆を研削する。
【００１４】
ユーザーが比較的に大きい孔径の選択孔３１ａを選択する時、該ターンテーブル３の一面の軌道３２上の突出部３２１がボス２２１に干渉し、これにより、該ボス２２１がスロット１６の中で上へ移動し、そのため、該スライダー２２が連動されて、セット２１の限位部２１２により制限された範囲内に上へ移動し、該スライダー２２の一側縁にある抵当部２２２により、遮断スイッチ２４を起動し、駆動ユニット１１が遮断回路を形成し、この時、該駆動ユニット１１が起動スイッチ２３により起動されず、また、ユーザーが鉛筆を研削する時、鉛筆を該選択孔３１と貫通穴１５及び対応孔２１１に貫通して削り刃ユニット１３に挿設し、この時、該ケーシング１の端面上の押え部４１を押えるまま、押え部４１で強制スイッチ４を起動し、該強制スイッチ４と駆動ユニット１１が通電の回路を形成して、削り刃ユニット１３が連動され鉛筆を研削し、ユーザー（或いは幼児）の指が、比較的に大きい孔径の選択孔３１ａに挿入する恐れがあるが、該安全機構２を設置することにより、ユーザーが該電動鉛筆削り器を使用しない時、より良い安全性があり、ユーザー（或いは幼児）が不意に指をターンテーブル３の選択孔３１ａに挿入して、削り刃ユニット１３により傷付くことを防止できる。
【図面の簡単な説明】
【００１５】
【図１】従来の概念図
【図２】本考案の立体外観概念図
【図３】本考案の立体分解概念図
【図４】本考案の一般使用形態の概念図
【図５】本考案の安全形態の概念図
【符号の説明】
【００１６】
従来
５            ケーシング
５１          選択ターンテーブル
５１１        選択孔
５２          収集ボックス
５３          貫通穴
６            電動モータ
７            減速歯車装置
８            ナイフ軸
９            給電装置
９１          スイッチ
本考案
１            ケーシング
１１          駆動ユニット
１２          電源ユニット
１３          削り刃ユニット
１４          スリーブ
１５          貫通穴
１６          スロット
１７          収納ボックス
１８          定位スイッチ
２            安全機構
２１          セット
２１１        対応孔
２１２        限位部
２２          スライダー
２２１        ボス
２２２        抵当部
２３          起動スイッチ
２４          遮断スイッチ
３            ターンテーブル
３１          選択孔
３１ａ        選択孔
３２          軌道
３２１        突出部
４            強制スイッチ
４１          押え部
【図１】
0003140429.tif 000003
【図２】
0003140429.tif 000004
【図３】
0003140429.tif 000005
【図４】
0003140429.tif 000006
【図５】
0003140429.tif 000007